(57)【要約】【課題】圧縮漏れが生じたか否かを診断することができる圧縮漏れ診断方法を提供する。【解決手段】圧縮機およびタービンを含む過給機と接続され、シリンダ内で燃料と空気の混合ガスを燃焼させるレシプロエンジンにおける圧縮行程での混合ガスの漏れである圧縮漏れを診断する方法であって、圧縮機からレシプロエンジンへの給気の圧力である給気圧およびシリンダ内の圧力であるシリンダ圧を検出し、点火タイミングの前の所定タイミングにおいて、検出されたシリンダ圧が、給気圧が高くなるほど高くなるように設定された閾値のうちの検出された給気圧に対応する閾値よりも低い場合に、圧縮漏れが生じたと判定する。【選択図】図１
2019120172.tif 000002
【特許請求の範囲】
【請求項１】
圧縮機およびタービンを含む過給機と接続され、シリンダ内で燃料と空気の混合ガスを燃焼させるレシプロエンジンにおける圧縮行程での混合ガスの漏れである圧縮漏れを診断する方法であって、
前記圧縮機から前記レシプロエンジンへの給気の圧力である給気圧および前記シリンダ内の圧力であるシリンダ圧を検出し、
点火タイミングの前の所定タイミングにおいて、検出されたシリンダ圧が、給気圧が高くなるほど高くなるように設定された閾値のうちの検出された給気圧に対応する閾値よりも低い場合に、圧縮漏れが生じたと判定する、圧縮漏れ診断方法。
【請求項２】
前記レシプロエンジンからの排気の温度を検出し、
前記所定タイミングでのシリンダ圧が前記閾値よりも低い場合であっても、前記排気の温度が設定値よりも低い場合は、圧縮漏れが生じたと判定せずに、シリンダ圧を検出する圧力センサが故障したと判定する、請求項１に記載の圧縮漏れ診断方法。
【請求項３】
前記閾値は第１閾値であり、
前記所定タイミングでのシリンダ圧が前記第１閾値よりも高い第２閾値よりも高い場合には、前記シリンダ圧を検出する圧力センサが故障したと判定する、請求項１または２に記載の圧縮漏れ診断方法。
【請求項４】
シリンダ内で燃料と空気の混合ガスを燃焼させるレシプロエンジンと、
前記レシプロエンジンと接続された、圧縮機およびタービンを含む過給機と、
前記圧縮機から前記レシプロエンジンへの給気の圧力である給気圧を検出する第１圧力センサと、
前記シリンダ内の圧力であるシリンダ圧を検出する第２圧力センサと、
給気圧が高くなるほど高くなるように設定された閾値が格納された診断装置と、を備え、
前記診断装置は、点火タイミングの前の所定タイミングにおいて、前記第２圧力センサで検出されたシリンダ圧が前記閾値のうちの前記第１圧力センサで検出された給気圧に対応する閾値よりも低い場合に、圧縮行程での混合ガスの漏れである圧縮漏れが生じたと判定する、エンジンシステム。
【請求項５】
前記レシプロエンジンからの排気の温度を検出する温度センサをさらに備え、
前記診断装置は、前記所定タイミングでのシリンダ圧が前記閾値よりも低い場合であっても、前記温度センサにより検出される排気の温度が設定値よりも低い場合は、圧縮漏れが生じたと判定せずに、前記第２圧力センサが故障したと判定する、請求項４に記載のエンジンシステム。
【請求項６】
前記閾値は第１閾値であり、
前記診断装置には、給気圧が高くなるほど高くなるように設定された、前記第１閾値よりも高い第２閾値も格納されており、
前記診断装置は、前記所定タイミングでのシリンダ圧が前記第２閾値のうちの検出された給気圧に対応する第２閾値よりも高い場合には、前記第２圧力センサが故障したと判定する、請求項４または５に記載のエンジンシステム。
【発明の詳細な説明】
【技術分野】
【０００１】
本発明は、レシプロエンジンにおける圧縮行程での燃料と空気の混合ガスの漏れである圧縮漏れを診断する方法およびその診断方法を実行するエンジンシステムに関する。
【背景技術】
【０００２】
従来から、圧縮機およびタービンを含む過給機と接続された、シリンダ内で燃料（燃料油および／または燃料ガス）と空気の混合ガスを燃焼させるレシプロエンジンが知られている。レシプロエンジンにおいては、種々の不具合を診断することが望まれる。例えば、特許文献１には、シリンダ内の圧力であるシリンダ圧に基いて異常燃焼の予兆を判定する診断方法が開示されている。
【先行技術文献】
【特許文献】
【０００３】
【特許文献１】特開２００９−２０３８８２号公報
【発明の概要】
【発明が解決しようとする課題】
【０００４】
レシプロエンジンの不具合の１つとしては、圧縮行程での混合ガスの漏れである圧縮漏れがあり、これが生じたか否かを診断したいという要望がある。この圧縮漏れは、１サイクルの位相角に応じて開閉する弁（４ストロークの場合は給気弁および排気弁、２ストロークの場合は掃気弁）のシール不良に起因する。
【０００５】
そこで、本発明は、圧縮漏れが生じたか否かを診断することができる圧縮漏れ診断方法およびこの診断方法を実行可能なエンジンシステムを提供することを目的とする。
【課題を解決するための手段】
【０００６】
前記課題を解決するために、本発明の発明者らは、正常なレシプロエンジンにおいては点火タイミングの前では給気圧が高くなるほどシリンダ圧が高くなる傾向があることに着目し、そのような閾値を設定するとともに給気圧およびシリンダ圧を検出し、検出されたシリンダ圧を検出された給気圧に対応する閾値と比較することによって圧縮漏れが生じたか否かを診断できることを見出した。本発明は、このような観点からなされたものである。
【０００７】
すなわち、本発明の圧縮漏れ診断方法は、圧縮機およびタービンを含む過給機と接続され、シリンダ内で燃料と空気の混合ガスを燃焼させるレシプロエンジンにおける圧縮行程での混合ガスの漏れである圧縮漏れを診断する方法であって、前記圧縮機から前記レシプロエンジンへの給気の圧力である給気圧および前記シリンダ内の圧力であるシリンダ圧を検出し、点火タイミングの前の所定タイミングにおいて、検出されたシリンダ圧が、給気圧が高くなるほど高くなるように設定された閾値のうちの検出された給気圧に対応する閾値よりも低い場合に、圧縮漏れが生じたと判定する、ことを特徴とする。
【０００８】
上記の構成によれば、圧縮漏れが生じたか否かを診断することができる。
【０００９】
上記の圧縮漏れ診断方法においては、前記レシプロエンジンからの排気の温度を検出し、前記所定タイミングでのシリンダ圧が前記閾値よりも低い場合であっても、前記排気の温度が設定値よりも低い場合は、圧縮漏れが生じたと判定せずに、シリンダ圧を検出する圧力センサが故障したと判定してもよい。本発明の発明者らは、鋭意研究の結果、圧縮漏れが生じたときには排気温度が高くなることを見出した。従って、所定タイミングでのシリンダ圧が閾値よりも低い場合であっても、排気温度が設定値よりも低ければ、シリンダ圧を検出する圧力センサの故障であると判定することができる。これにより、圧縮漏れが生じたか否かを正確に診断することができる。
【００１０】
前記閾値は第１閾値であり、前記所定タイミングでのシリンダ圧が前記第１閾値よりも高い第２閾値よりも高い場合には、前記シリンダ圧を検出する圧力センサが故障したと判定してもよい。本発明の発明者らは、正常なレシプロエンジンでは点火タイミングの前では給気圧とシリンダ圧により定まる運転点が一定の帯状の領域内に納まることを見出した。従って、シリンダ圧が第２閾値よりも高ければ、シリンダ圧を検出する圧力センサの故障であると判定することができる。
【００１１】
また、本発明のエンジンシステムは、シリンダ内で燃料と空気の混合ガスを燃焼させるレシプロエンジンと、前記レシプロエンジンと接続された、圧縮機およびタービンを含む過給機と、前記圧縮機から前記レシプロエンジンへの給気の圧力である給気圧を検出する第１圧力センサと、前記シリンダ内の圧力であるシリンダ圧を検出する第２圧力センサと、給気圧が高くなるほど高くなるように設定された閾値が格納された診断装置と、を備え、前記診断装置は、点火タイミングの前の所定タイミングにおいて、前記第２圧力センサで検出されたシリンダ圧が前記閾値のうちの前記第１圧力センサで検出された給気圧に対応する閾値よりも低い場合に、圧縮行程での混合ガスの漏れである圧縮漏れが生じたと判定する、ことを特徴とする。
【００１２】
上記の構成によれば、本発明の圧縮漏れ診断方法と同様の効果を得ることができる。
【００１３】
上記のエンジンシステムは、前記レシプロエンジンからの排気の温度を検出する温度センサをさらに備え、前記診断装置は、前記所定タイミングでのシリンダ圧が前記閾値よりも低い場合であっても、前記温度センサにより検出される排気の温度が設定値よりも低い場合は、圧縮漏れが生じたと判定せずに、前記第２圧力センサが故障したと判定してもよい。
【００１４】
前記閾値は第１閾値であり、前記診断装置には、給気圧が高くなるほど高くなるように設定された、前記第１閾値よりも高い第２閾値も格納されており、前記診断装置は、前記所定タイミングでのシリンダ圧が前記第２閾値のうちの検出された給気圧に対応する第２閾値よりも高い場合には、前記第２圧力センサが故障したと判定してもよい。
【発明の効果】
【００１５】
本発明によれば、圧縮漏れが生じたか否かを診断することができる。
【図面の簡単な説明】
【００１６】
【図１】本発明の一実施形態に係るエンジンシステムの概略構成図である。
【図２】診断装置が行う処理のフローチャートである。
【図３】シリンダ圧の波形の一例を示す図である。
【図４】第１閾値および第２閾値を示すグラフである。
【発明を実施するための形態】
【００１７】
図１に、本発明の一実施形態に係るエンジンシステム１を示す。このシステム１は、レシプロエンジン４、過給機２および診断装置６を含む。
【００１８】
本実施形態では、レシプロエンジン４が４ストロークのガスエンジンである。ガスエンジンは、燃料が燃料ガス（例えば、天然ガス）のみであるガス専焼エンジンであってもよいし、燃料が燃料ガスおよび／または燃料油である二元燃料エンジンであってもよい。ただし、レシプロエンジン４は必ずしもガスエンジンである必要はなく、レシプロエンジン４の燃料が燃料油のみであってもよい。また、レシプロエンジン４は２ストロークエンジンであってもよい。
【００１９】
例えば、レシプロエンジン４は、地上の発電設備に組み込まれる。ただし、レシプロエンジン４は、例えば船舶の主機として用いられてもよい。この場合、レシプロエンジン４が直接的にスクリュープロペラを回転駆動してもよいし、発電機およびモータを介してスクリュープロペラを回転駆動してもよい。
【００２０】
レシプロエンジン４は、複数のシリンダ４１を含む。シリンダ４１の数は、例えば５〜１８である（図１では、図面の簡略化のために３つのみを図示）。レシプロエンジン４には、シリンダ４１にそれぞれ対応する複数の燃料噴射弁（図示せず）が設けられている。各燃料噴射弁は、対応するシリンダ４１へ供給される空気（給気）中に燃料ガスを噴射し、燃料ガスと空気の混合ガスを生成する。各シリンダ４１内では、点火装置（図示せず）により混合ガスが点火され、混合ガスが燃焼される。
【００２１】
各シリンダ４１内には、ピストン（図示せず）が配置されており、このピストンと対向するシリンダヘッドに給気弁および排気弁（いずれも図示せず）が設けられる。そして、ピストンとシリンダヘッドの間に燃焼室が形成される。例えば、燃焼室は、主室と副室に仕切られ、主室内に上述した混合ガスであってリーンな混合ガスが導入され、副室内には上述した燃料噴射弁とは別の燃料噴射弁から燃料ガスが噴射されてリッチな混合ガスが生成されてもよい。この場合、まず副室内のリッチな混合ガスが点火プラグ（点火装置の一例）により点火され、ついで副室から主室に伝播する火炎によって主室内のリーンな混合ガスが点火される。
【００２２】
ただし、点火装置は、副室内の混合ガスに点火する点火プラグに限られない。例えば、燃焼室が主室と副室に仕切られない場合は、点火装置は、燃焼室内に高圧のパイロット燃料（油またはガス）を直接的に噴射することにより当該パイロット燃料を自己発火させるパイロット燃料噴射弁であってもよい。
【００２３】
４ストロークエンジンの場合、各シリンダ４１において、ピストンが二往復することにより、レシプロエンジン４の１サイクル（給気行程、圧縮行程、膨張行程、排気行程）が行われる。各シリンダ４１における１サイクルの間のレシプロエンジン４の位相角（０〜７２０度）は、位相角検出器６１により検出される。位相角としては、クランク軸の回転角（クランク角）やピストンの位置などを用いることができる。例えば、位相角検出器６１は、電磁ピックアップ、近接スイッチまたはロータリーエンコーダである。
【００２４】
上述した過給機２は、レシプロエンジン４と接続されている。より詳しくは、過給機２は、圧縮機２１とタービン２２を含み、圧縮機２１で圧縮された空気（給気）が給気路３を通じてシリンダ４１へ導かれ、シリンダ４１から排出された排気が排気路５を通じてタービン２２へ導かれる。
【００２５】
より詳しくは、給気路３は、給気マニホールド３２と、給気マニホールド３２と圧縮機２１とを接続する主流路３１と、給気マニホールド３２とシリンダ４１とを接続する複数の支流路３３を含む。排気路５は、排気マニホールド５２と、シリンダ４１と排気マニホールド５２とを接続する複数の支流路５１と、排気マニホールド５２とタービン２２とを接続する主流路５３を含む。
【００２６】
給気路３の主流路３１には、給気を冷却するためのエアクーラ３５が設けられている。また、主流路３１には、エアクーラ３５の下流側に、圧縮機２１からレシプロエンジン４への給気の圧力である給気圧Ｐｓを検出する第１圧力センサ７１が設けられている。ただし、第１圧力センサ７１は、給気マニホールド３２に設けられてもよい。
【００２７】
さらに、各シリンダ４１には、当該シリンダ４１内の圧力であるシリンダ圧Ｐｃを検出する第２圧力センサ７２が設けられている。また、排気路５の各支流路５１には、レシプロエンジン４（より正確には、対応するシリンダ４１）からの排気の温度Ｔｅを検出する温度センサ７３が設けられている。
【００２８】
第１圧力センサ７１、第２圧力センサ７２および温度センサ７３は、診断装置６と電気的に接続されている。診断装置６は、上述した位相角検出器６１とも電気的に接続されている。診断装置６は、例えば、ＲＯＭやＲＡＭなどのメモリとＣＰＵを有するコンピュータであり、ＲＯＭに格納されたプログラムがＣＰＵにより実行される。
【００２９】
診断装置６は、各シリンダ４１に対して、圧縮行程での混合ガスの漏れである圧縮漏れが生じたか否かを診断する。図２に、診断装置６が行う処理のフローチャートを示す。
【００３０】
診断装置６には、図４に示すような第１閾値αと第２閾値βが予め格納されている。第１閾値αおよび第２閾値βは、給気圧Ｐｓに対するシリンダ圧Ｐｃの正常範囲を規定するものであり、第２閾値βは第１閾値αよりも高い。より詳しくは、第１閾値αおよび第２閾値βのそれぞれは、給気圧Ｐｓが高くなるほど高くなるように設定されている。
【００３１】
まず、診断装置６は、図３に示すように点火タイミングの前の所定タイミングにおいて検出されたシリンダ圧Ｐｃ、給気圧Ｐｓおよび排気温度Ｔｅを取得する（ステップＳ１）。所定タイミングは、点火タイミングの直前であることが望ましい。
【００３２】
次に、診断装置６は、検出されたシリンダ圧Ｐｃを、検出された給気圧Ｐｓに対応する第１閾値αと比較する（ステップＳ２）。シリンダ圧Ｐｃが第１閾値αよりも低い場合は（ステップＤ２でＹＥＳ）ステップＳ３に進み、シリンダ圧Ｐｃが第１閾値αよりも高い場合は（ステップＤ２でＮＯ）ステップＳ４に進む。
【００３３】
ステップＳ３では、診断装置６は、検出された排気温度Ｔｅを設定値γと比較する。設定値γは、実験等により適宜決定可能である。排気温度Ｔｅが設定値γよりも高い場合（ステップＳ３でＹＥＳ）、診断装置６は圧縮漏れが生じたと判定する（ステップＳ５）。一方、排気温度Ｔｅが設定値γよりも低い場合（ステップＳ３でＮＯ）、診断装置６はシリンダ圧Ｐｃを検出する第２圧力センサ７２が故障したと判定する（ステップＳ６）。
【００３４】
ステップＳ４では、診断装置６は、検出されたシリンダ圧Ｐｃを、検出された給気圧Ｐｓに対応する第２閾値βと比較する。シリンダ圧Ｐｃが第２閾値βよりも高い場合（ステップＳ４でＹＥＳ）、診断装置６はシリンダ圧Ｐｃを検出する第２圧力センサ７２が故障したと判定する（ステップＳ６）。一方、シリンダ圧Ｐｃが第２閾値βよりも低い場合（ステップＳ４でＮＯ）、診断装置６は異常無しと判定する（ステップＳ７）。
【００３５】
以上説明したように、本実施形態のエンジンシステム１では、点火タイミングの前の所定タイミングでのシリンダ圧Ｐｃをそのときの給気圧Ｐｓに対応する第１閾値αと比較することで、圧縮漏れが生じたか否かを診断することができる。
【００３６】
（変形例）
本発明は上述した実施形態に限定されるものではなく、本発明の要旨を逸脱しない範囲で種々の変形が可能である。
【００３７】
例えば、ステップＳ３が省略され、所定タイミングにおいてシリンダ圧Ｐｃが給気圧Ｐｓに対応する第１閾値αよりも低い場合に（ステップＳ２でＹＥＳ）、診断装置６が圧縮漏れが生じたと判定してもよい。ただし、この場合には、シリンダ圧Ｐｃを検出する第２圧力センサ７２の故障によって、シリンダ圧Ｐｃが誤って低い値となっている可能性がある。これに対し、本発明の発明者らは、鋭意研究の結果、圧縮漏れが生じたときには排気温度が高くなることを見出した。従って、所定タイミングでのシリンダ圧Ｐｃが第１閾値αよりも低い場合であっても、排気温度Ｔｅが設定値γよりも低ければ、第２圧力センサ７２の故障であると判定することができる。これにより、圧縮漏れが生じたか否かを正確に診断することができる。
【００３８】
また、ステップＳ４が省略され、所定タイミングにおいてシリンダ圧Ｐｃが給気圧Ｐｓに対応する第１閾値αよりも高い場合に（ステップＳ２でＮＯ）、診断装置６が異常無しと判定してもよい。ただし、この場合には、シリンダ圧Ｐｃを検出する第２圧力センサ７２の故障によって、シリンダ圧Ｐｃが誤って高い値となっている可能性がある。これに対し、本発明の発明者らは、正常なレシプロエンジンでは点火タイミングの前では給気圧Ｐｓとシリンダ圧Ｐｃにより定まる運転点が一定の帯状の領域内に納まることを見出した。従って、シリンダ圧Ｐｃが第２閾値βよりも高ければ、第２圧力センサ７２の故障であると判定することができる。
【符号の説明】
【００３９】
１    エンジンシステム
２    過給機
２１  圧縮機
２２  タービン
４    レシプロエンジン
４１  シリンダ
６    診断装置
７１  第１圧力センサ
７２  第２圧力センサ
７３  温度センサ
【図１】
2019120172.tif 000003
【図２】
2019120172.tif 000004
【図３】
2019120172.tif 000005
【図４】
2019120172.tif 000006
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
圧縮機およびタービンを含む過給機と接続され、シリンダ内で燃料と空気の混合ガスを燃焼させるレシプロエンジンにおける圧縮行程での混合ガスの漏れである圧縮漏れを診断する方法であって、
前記圧縮機から前記レシプロエンジンへの給気の圧力である給気圧および前記シリンダ内の圧力であるシリンダ圧を検出し、
点火タイミングの前の所定タイミングにおいて、検出されたシリンダ圧が、給気圧が高くなるほど高くなるように設定された閾値のうちの検出された給気圧に対応する閾値よりも低い場合に、圧縮漏れが生じたと判定し、
前記レシプロエンジンからの排気の温度を検出し、
前記所定タイミングでのシリンダ圧が前記閾値よりも低い場合であっても、前記排気の温度が設定値よりも低い場合は、圧縮漏れが生じたと判定せずに、シリンダ圧を検出する圧力センサが故障したと判定する、圧縮漏れ診断方法。
【請求項２】
前記閾値は第１閾値であり、
前記所定タイミングでのシリンダ圧が前記第１閾値よりも高い第２閾値よりも高い場合には、前記シリンダ圧を検出する圧力センサが故障したと判定する、請求項１に記載の圧縮漏れ診断方法。
【請求項３】
シリンダ内で燃料と空気の混合ガスを燃焼させるレシプロエンジンと、
前記レシプロエンジンと接続された、圧縮機およびタービンを含む過給機と、
前記圧縮機から前記レシプロエンジンへの給気の圧力である給気圧を検出する第１圧力センサと、
前記シリンダ内の圧力であるシリンダ圧を検出する第２圧力センサと、
給気圧が高くなるほど高くなるように設定された閾値が格納された診断装置と、
前記レシプロエンジンからの排気の温度を検出する温度センサと、を備え、
前記診断装置は、点火タイミングの前の所定タイミングにおいて、前記第２圧力センサで検出されたシリンダ圧が前記閾値のうちの前記第１圧力センサで検出された給気圧に対応する閾値よりも低い場合に、圧縮行程での混合ガスの漏れである圧縮漏れが生じたと判定するとともに、
前記所定タイミングでのシリンダ圧が前記閾値よりも低い場合であっても、前記温度センサにより検出される排気の温度が設定値よりも低い場合は、圧縮漏れが生じたと判定せずに、前記第２圧力センサが故障したと判定する、エンジンシステム。
【請求項４】
前記閾値は第１閾値であり、
前記診断装置には、給気圧が高くなるほど高くなるように設定された、前記第１閾値よりも高い第２閾値も格納されており、
前記診断装置は、前記所定タイミングでのシリンダ圧が前記第２閾値のうちの検出された給気圧に対応する第２閾値よりも高い場合には、前記第２圧力センサが故障したと判定する、請求項３に記載のエンジンシステム。